(57)【要約】      （修正有）【課題】システム価格、システム運用コスト及び管理コストが低く、しかも信頼性が高い放送局映像送出システムを提供する。【解決手段】素材登録サーバをクラスタリング型のシングル構成にし、現用系には送出サーバとデコーダを設け、予備系はデコーダだけを設けたハードウェアで構成する低コストな冗長システムとする。現用系の送出サーバの障害時にはデコーダは素材供給元の参照ＩＰアドレスを素材登録サーバに変更して送出を可能とする。【選択図】図２
2009290428.tif 000002
【特許請求の範囲】
【請求項１】
素材を放送する放送局映像送出システムにおいて、ハードディスク装置を映像記憶に用いて上記素材を記録するクラスタリング型の素材登録サーバと、上位システムの制御によって動作する第１のネットワーク型ビデオサーバと、上位システムの制御によって動作する第２のネットワーク型ビデオサーバとを有する放送局映像送出システムであって、
上記第１のネットワーク型ビデオサーバは、少なくとも不揮発性半導体メモリを用いた第１の記憶装置と、参照元から素材を読出して送出する第１のデコーダとを備え、
上記第２のネットワーク型ビデオサーバは、少なくとも上記素材登録サーバが記録した素材を読出して送出する第２のデコーダとを備え、
上記第１のデコーダは、上記第１の記憶装置の障害発生時には、上記素材登録サーバが記録した素材を読出して送出することを特徴とする放送局映像送出システム。
【発明の詳細な説明】
【技術分野】
【０００１】
本発明は放送局映像送出システムに関し、特に現用系と予備系によって構成したネットワーク型ビデオサーバを用いたシステムに関する。
【背景技術】
【０００２】
従来、映像を放送するために放送局に設置されるネットワーク型ビデオサーバを用いた放送局映像送出システムは、現用系と予備系と２つのハードウェア構成を持つことが多い。通常、現用系と予備系のどちらについても、ハードウェア構成が同一の完全二重化した冗長システム（完全二重化システム）を採用している。現用系の機器でシステムの運用を行っている場合でも、バックグラウンドで常に予備系の機器を同等に稼動しており、現用系の機器障害発生時にはシステムを予備系の機器に切替えて運用し、システムダウンしないようにしている（例えば、特許文献１若しくは特許文献２参照。）。
【０００３】
【特許文献１】特開２００７−２５１４５４号公報
【特許文献２】特開２００７−１９４７０９号公報
【発明の開示】
【発明が解決しようとする課題】
【０００４】
上述のネットワーク型ビデオサーバを用いた放送局映像送出システムにおいては、信頼性を上げるため、障害発生時にも継続的に稼動するよう冗長化する必要性がある。
上述の特許文献１若しくは特許文献２の完全二重化システムでは、現用系と予備系共に同じようなハードウェア構成である。従って、信頼性の高いシステム動作を保証するが、システム価格、システム運用コスト、及び、管理コストが膨大になる。
本発明は、上記のような問題に鑑み、システム価格、システム運用コスト、及び、管理コストが低く、しかも信頼性が高い放送局映像送出システムを提供することを目的とする。
【課題を解決するための手段】
【０００５】
上記の目的を達成するため、本発明の放送局映像送出システムは、ネットワーク型ビデオサーバを用いた放送局映像送出システムにおいて、ハードディスク装置を映像記憶に用いた素材登録ビデオサーバを現用と予備の２台以上設け、半導体メモリを映像記憶に用いた送出ビデオサーバを現用の１台設け、上記２台の素材登録ビデオサーバと上記１台の送出サーバとに接続した送出デコーダを現用、予備の２台以上設けたものである。
即ち、本発明の放送局映像送出システムは、素材を放送する放送局映像送出システムにおいて、ハードディスク装置を映像記憶に用いて上記素材を記録するクラスタリング型の素材登録サーバと、上位システムの制御によって動作する第１のネットワーク型ビデオサーバと、上位システムの制御によって動作する第２のネットワーク型ビデオサーバとを有する放送局映像送出システムであって、上記第１のネットワーク型ビデオサーバは、少なくとも不揮発性半導体メモリを用いた第１の記憶装置と、参照元から素材を読出して送出する第１のデコーダとを備え、上記第２のネットワーク型ビデオサーバは、少なくとも上記素材登録サーバが記録した素材を読出して送出する第２のデコーダとを備え、上記第１のデコーダは、上記第１の記憶装置の障害発生時には、上記素材登録サーバが記録した素材を読出して送出するものである。
また好ましくは、上記本発明の放送局映像送出システムの上記第１のデコーダは、上記素材登録サーバのＩＰアドレスを参照して上記素材を読出すものである。
【発明の効果】
【０００６】
本発明によれば、ネットワーク型ビデオサーバを用いた放送局映像送出システムにおいて、現用系は送出サーバ、予備系はクラスタリング型の素材（登録）サーバで各々から送出を行なう冗長化方式にし、送出サーバの障害発生時には供給元参照ＩＰを素材（登録）サーバに変更することで冗長性を維持することが可能な、低コストで信頼性の高い冗長システムが実現できた。。
【発明を実施するための最良の形態】
【０００７】
以下、添付図面を参照しながら本発明の実施形態を詳細に説明する。なお、各図において、共通な機能を有する構成要素には同一の参照番号を付し、説明の重複を避け、できるだけ説明を省略する。
【０００８】
図１は、ネットワーク型ビデオサーバを用いた放送局映像送出システムのブロック構成を示す比較図である。図１は、完全二重化の冗長システムであり、現用系と予備系が、同一のハードウェア構成となっている。１は素材登録サーバ、２は素材登録サーバ１の記憶部を構成するハードディスク装置（ HDD：Hard Disk Drive ）、３は送出コントローラ、４は送出サーバ、５は送出サーバ４の記憶部を構成する不揮発性半導体メモリを用いた記憶装置、６はデコーダ、７は素材登録サーバ、８は素材登録サーバ７の記憶部を構成するハードディスク装置（ HDD：Hard Disk Drive ）、９は送出コントローラ、１０は送出サーバ、１１は送出サーバ１０の記憶部を構成する不揮発性半導体メモリを用いた記憶装置、１２はデコーダ、１０１は現用系のネットワーク型ビデオサーバ、１０２は予備系のネットワーク型ビデオサーバ、１１０は上位システム、１１１は送出切替器、１３０はＬＡＮ（ Local Area Netowrk ）である。
現用系のネットワーク型ビデオサーバ１０１は、素材登録サーバ１、送出コントローラ３、送出サーバ４、デコーダ６から構成されている。また、予備系のネットワーク型ビデオサーバ１０２は、素材登録サーバ７、送出コントローラ９、送出サーバ１０、デコーダ１２から構成されている。
なお、不揮発性半導体メモリを用いた記憶装置５及び１１は、例えば、フラッシュメモリ記憶装置（ Flash Memory Drive ）である。
【０００９】
図１において、現用系のネットワーク型ビデオサーバ１０１は、編集機やＶＴＲ（ Video Tape Recorder ）等の入力ソースから、直接若しくはネットワーク経由で、映像素材を取込んで蓄積しておく素材登録サーバ１、直近の送出素材を素材登録サーバ１からコピー転送して蓄積しておく送出サーバ４、上位システム１１０から制御信号を受けデコーダ６を制御する送出コントローラ３とで構成されている。なおこれらの機器１、３、４、６は、それぞれ、ＬＡＮ１３０を介して相互にアクセスする。
また同様に、予備系のネットワーク型ビデオサーバ１０２は、編集機やＶＴＲ（ Video Tape Recorder ）等の入力ソースから、直接若しくはネットワーク経由で、映像素材を取込んで蓄積しておく素材登録サーバ７、直近の送出素材を素材登録サーバ７からコピー転送して蓄積しておく送出サーバ１０、上位システム１１０から制御信号を受けデコーダ１２を制御する送出コントローラ９とで構成されている。なおこれらの機器７、９、１０、１２は、それぞれ、ＬＡＮ１３０を介して相互にアクセスする。
尚、素材登録サーバ１には大容量のスペックを求められるためハードディスク装置２を用い、送出サーバ４にはディスクの安定性を求められるためフラッシュメモリ等の不揮発性半導体メモリを用いた記憶装置５を用いている。
【００１０】
本発明の一実施例を図２によって説明する。図２は、本発明のネットワーク型ビデオサーバを用いた放送局映像送出システムの一実施例の構成を示すブロック図である。１４−１、１４−２、‥‥‥、１４−ｎはハードディスク装置、１３−１、１３−２、‥‥‥、１３−ｎはそれぞれハードディスク装置１４−１、１４−２、‥‥‥、１４−ｎを具備した素材登録サーバ（ｎは自然数）、２０１は現用系のネットワーク型ビデオサーバ、２０２は予備系のネットワーク型ビデオサーバ、２０３は共通系の素材登録サーバである。共通系の素材登録サーバ１３−１、１３−２、‥‥‥、１３−ｎは、クラスタリング型サーバの構成とした共通系の素材登録サーバ２０３である。なお、共通系クラスタリング型サーバ（共通系の素材登録サーバ２０３）を構成するハードディスク装置を具備した素材登録サーバの数は、２以上であれば何台でも良い。
現用系のネットワーク型ビデオサーバ２０１は、図１の現用系のネットワーク型ビデオサーバ１０１に対して、素材登録サーバ１を削除した構成である。また同様に、予備系のネットワーク型ビデオサーバ２０２は、図１の現用系のネットワーク型ビデオサーバ１０２に対して、素材登録サーバ７と送出サーバ１０を削除した構成である。また、点線の矢印ｄ１、ｄ２、ｄ３、ｄ４、ｄ５、ｄ６は、それぞれデータの移動経路を示す。
【００１１】
図２にあるように素材登録サーバ２０３をクラスタリング型の構成にして、現用系には高信頼性の送出サーバとデコーダを設け、予備系はデコーダだけを設けたハードウェアで構成しており、これにより低コストな冗長システムの実現を可能とする。クラスタリング型の構成とすることによって、例えば、上位システム１１０に登録されたプログラムによって、素材登録サーバ２０３内に仮想リソースが作成され、素材登録サーバ２０３を構成する個々の素材登録サーバ１３−１、１３−２、‥‥‥、１３−ｎのどれかが障害等で動作しない時でも、共通系の素材登録サーバ２０３は安定に動作するものである。
【００１２】
図２のネットワーク型ビデオサーバを用いた放送局映像送出システムにおいて、現用系のデコーダ６は、上位システム１１０からの制御に応じて、送出サーバ４のＩＰアドレスを参照し、予備系のデコーダ１２は素材登録サーバ２０３のＩＰアドレスを参照することで、それぞれ必要な素材の読出しを行う。
通常運用では、現用系のネットワーク型ビデオサーバ２０１は、素材登録サーバ２０３から、直近の素材のデータを高信頼性の不揮発性半導体メモリを用いた記憶装置５を具備する送出サーバ４にコピー転送して（矢印ｄ１）おき、デコーダ６は送出サーバ４からデータを読出して（矢印ｄ２）デコーダ６から送出切替器１１１に送出を行う（矢印ｄ３）。
同時に、バックグランドでは、予備系のネットワーク型ビデオサーバ２０２が、上位システム１１０からの制御に応じて、素材登録サーバ２０３からデコーダ１２が直接上記と同じ直近の素材のデータを読出して（矢印ｄ４）送出切替器１１１に送出を行なう（矢印ｄ５）。
送出切替器１１１は、上位システム１１０からの制御に応じて、入力されたデータを放送する（矢印ｄ６）。
このような現用系と予備系を有する冗長システムであることと、共通の素材登録サーバ２０３がクラスタリング型の構成であるために、障害発生時にもシステムとして運用は持続できる。
【００１３】
本発明の他の実施例を図３によって説明する。図３は、本発明のネットワーク型ビデオサーバを用いた放送局映像送出システムの一実施例の構成を示すブロック図である。図３によって、現用系のネットワーク型ビデオサーバ２０１の送出サーバ６に障害が発生した時のシステムの動作を説明する。
図３に示すように現用系のネットワーク型ビデオサーバ２０１において、送出サーバ４に障害が発生した時には、デコーダ６は、上位システム１１０の制御により素材供給元の参照ＩＰアドレスを素材登録サーバ２０２に変更することで、予備系のネットワーク型ビデオサーバ２０２と同様に、素材登録サーバ２０３から直接データを読出し（矢印ｅ１）、データの送出を可能としている。このようにすることによって、システム全体としての冗長性を維持することができる。
【００１４】
なお、上記本発明のネットワーク型ビデオサーバを用いた放送局映像送出システムにおいては、例えば、特許文献１と同様に、送出コントローラ３及び９、送出サーバ４、並びに、デコーダ６及び１２のそれぞれに、ＬＡＮ１３０に接続された外部接点ボードを実装し、それらの機器に異常が発生したり、停止状態となった時には上位システム１１０に通報するようにすることによって、上位システム１１０はどの機器が異常若しくは停止しているかが分かるようにしている。
また、その他の方法として、例えば、特許文献２と同様に、送出コントローラ３及び９、送出サーバ４、並びに、デコーダ６及び１２のそれぞれに、監視装置を設け、それらの機器に異常が発生したり、停止状態となった時には、監視装置からＬＡＮ１３０を介して上位システム１１０に通報が出力されることによって、上位システム１１０はどの機器が異常若しくは停止しているかが分かるようにしても良い。
【００１５】
上記実施例によれば、ネットワーク型ビデオサーバを用いた放送局映像送出システムにおいて、冗長化方式をハードウェアの完全二重化方式ではなく、現用系は送出サーバ、予備系はクラスタリング型の素材（登録）サーバで各々から送出を行なう冗長化方式にし、送出サーバの障害発生時には供給元参照ＩＰを素材（登録）サーバに変更することで冗長性を維持することが可能な、低コストで信頼性の高い冗長システムが実現した。
【図面の簡単な説明】
【００１６】
【図１】ネットワーク型ビデオサーバを用いた放送局映像送出システムのブロック構成を示す比較図。
【図２】本発明のネットワーク型ビデオサーバを用いた放送局映像送出システムの一実施例の構成を示すブロック図。
【図３】本発明のネットワーク型ビデオサーバを用いた放送局映像送出システムの一実施例の構成を示すブロック図。
【符号の説明】
【００１７】
１：素材登録サーバ、  ２：ハードディスク装置、  ３：送出コントローラ、  ４：送出サーバ、  ５：不揮発性半導体メモリを用いた記憶装置、  ６：デコーダ、  ７：素材登録サーバ、  ８：ハードディスク装置、  ９：送出コントローラ、  １０：送出サーバ、  １１：不揮発性半導体メモリを用いた記憶装置、  １２：デコーダ、  １３−１、１３−２、‥‥‥、１３−ｎ：素材登録サーバ、  １４−１、１４−２、‥‥‥、１４−ｎ：ハードディスク装置、  ２０１：現用系のネットワーク型ビデオサーバ、  １０１：現用系のネットワーク型ビデオサーバ、  １０２：予備系のネットワーク型ビデオサーバ、  １１０：上位システム、  １１１：送出切替器、  １３０はＬＡＮ、  ２０２：予備系のネットワーク型ビデオサーバ、  ２０３：共通系の素材登録サーバ。
【図１】
2009290428.tif 000003
【図２】
2009290428.tif 000004
【図３】
2009290428.tif 000005